(57)【要約】      （修正有）【課題】小型・軽量、かつ変形防止する半導体デバイスなどのヒートシンク係合具を提供する。【解決手段】フレーム１０、操作部材２０、掛合部材３０から構成し、フレームは基板６０に搭載されたデバイス５０上のヒートシンク４０上に設置され、操作部材２０の円弧状側面との摺動面を具えた突出部１２を設ける。操作部材２０は、本体とハンドル２２を具え、ハンドルを操作して本体を摺動面上で回動させて、係合部材３０を上下移動させる。係合部材は、第一、第二弾性体３２ａ、３２ｂを左右の湾曲した第一弾性桿３２１ａ、３２１ｂ、湾曲部３２２ａ、３２２ｂ、該湾曲部で折り返した第二弾性桿３２３ａ、３２３ｂで構成することにより、弾性係数を小さく、かつスペースを小さくしうる。【選択図】図１
0003133001.tif 000002
【実用新案登録請求の範囲】
【請求項１】
フレーム、操作部材、掛合部材から構成され、
フレームは、ヒートシンクの上面側に配置され、相対する２辺外側に突出部を設け、その突出部上面に操作部材の円弧状外周面と接する摺動面を具え、
操作部材は、本体及び本体に連結するハンドルを具え、本体は上述の摺動面上に接して配置され、ハンドルはその回転操作により本体を摺動面上で回動され、
係合部材は、上記突出部のスリットに挿通して上記操作部材に枢着された連動体を具え、
その連動体は縦向きに延長されて左右に相対して延長されて上下方向に弾発力を作用させる第一弾性体、第二弾性体が水平に伸びて設けられ、その先端にヒートシンクを搭載した基板上のフックに係合する係合牽引体と連結した、
ことを特徴とするヒートシンクの掛合具。
【請求項２】
前記摺動面は、その両側に挿通スリットを形成して上記連動体の上部を挿通突出させ、本体両側に相対して係合部材を配置したことを特徴とする請求項１記載のヒートシンクの掛合具。
【請求項３】
前記係合部材の連動体は、操作部材本体の円弧中心から偏心した位置に枢設することを特徴とする請求項１記載のヒートシンクの掛合具。
【請求項４】
前記操作部材本体は、偏心輪状体とすることを特徴とする請求項１もしくは３記載のヒートシンクの掛合具。
【請求項５】
前記操作部材本体は、円形輪状体とすることを特徴とする請求項１もしくは３記載のヒートシンクの掛合具。
【請求項６】
前記操作部材本体は、円形輪状とし、本体を貫く案内溝を設けて、その案内溝の両端の第一端及び第二端は、その第一端から本体の径方向に湾曲して伸び第二端に連通し、湾曲部が第一端及び第二端の間を仲介し、連動部材は案内溝を挿通してガイドされる枢軸により枢設することを特徴とする請求項１記載のヒートシンクの掛合具。
【請求項７】
前記掛合牽引体と第一、第二弾性体は、一体成型としたことを特徴とする請求項１記載のヒートシンクの掛合具。
【請求項８】
前記第一、第二弾性体は、延長して鈎接続脚を設け、その鈎接続脚にはフック孔を設け、掛合牽引体の左右側に該フック孔に対応して係合する凸部を設けて連結したことを特徴とする請求項１記載のヒートシンクの掛合具。
【請求項９】
前記第一、第二弾性体は、彎曲したバネ構造としたことを特徴とする請求項１もしくは８記載のヒートシンクの掛合具。
【請求項１０】
前記第一、第二弾性体は、各々連動体から接続する第一弾性桿、彎曲部、及びさらに該彎曲部で折り返して延長する第二弾性桿からなるバネ構造を形成する
ことを特徴とする請求項１記載のヒートシンクの掛合具。
【請求項１１】
前記第一、第二弾性体は、各々連動体から接続する第一弾性桿、彎曲部、及びさらに該彎曲部で折り返して延長する第二弾性桿からなるバネ構造を形成し、
更に、その先端は下向きに延長して前記鈎接続脚を形成することを特徴とする請求項８記載のヒートシンクの掛合具。
【請求項１２】
前記ヒートシンクは、その相対する両側に凸部とその間の凹槽を設けて、ヒートシンク上のフレーム枠下面を該凸部上側にあてがい、掛合部材を該凹槽に配置して取り付けることを特徴とする請求項１記載のヒートシンクの掛合具。
【請求項１３】
前記摺動面は、内に凹んだ円弧面形状であることを特徴とする請求項１記載のヒートシンクの掛合具。
【考案の詳細な説明】
【技術分野】
【０００１】
本考案は、ヒートシンクの掛合具に関するものである。
【背景技術】
【０００２】
下記に挙げた台湾特許文献に記載されるような公知の「放熱部材の掛合具構造」の放熱部材の相対する両側には各々滑動孔を設けて掛合具をそれぞれ設置する。この掛合具は、掛合板、操作桿、ハンドルからなる。そのうち、掛合板は板体で構成し、その最上段で放熱部材の滑動孔内に滑動可能に設置する。この板体の中段に弾性部を設けてその板体の底部に掛合孔を設けて放熱部材支持台の係合フックを対応させて掛合する。
操作桿は連動板部を含み、その連動板部を掛合板の最上部で中心軸から偏心して枢設し、連動板部の外縁を放熱部材の最上端板面で跨いで設置し、操作桿を回転させることによって、掛合板を上向きに引き上げる。放熱部材支持台の係合フックに弾発力を介して掛合板、並びに放熱部材の底部をデバイス上にしっかり締結する。また操作桿は、連動板部を含み、軸孔に差し込んでその軸孔を連動板部の側に中心をずらして設置し、枢設ピンで、掛合板の最上段上に枢設する。またハンドルは連動板部の板縁から外向きに伸びる。また上述した掛合板の板体中段の弾性部は、ガチョウ頚部状もしくは「く」の字型もしくは「Ｓ」字型、もしくはその他同様の形状である。
【特許文献１】台湾  実用新案登録第０９２２０５２３２号「放熱部材の掛合具構造」
【特許文献１】特表２００２−５１６０３１号公報
【特許文献２】特許第２５６３１８２号公報
【考案の開示】
【考案が解決しようとする課題】
【０００３】
解決しようとする問題点は、パーソナルコンピュータなどの搭載機器の限られたスペースを有効に活用するため、占有容積が小さく、重量を軽減することが求められることに応えて、これらに搭載するデバイスの放熱、冷却用のヒートシンクの取り付け構造の寸法が大きく、力がかかることから変形しやすいなどの課題を有することに鑑み、これらを簡単な構造で、且つ軽量、小型化することである。
【課題を解決するための手段】
【０００４】
本考案は、フレーム、操作部材、掛合部材からなる。そのうち、フレームはヒートシンクの上面に設置し、突出部を設ける。この突出部は操作部材に対する摺動面を具える。操作部材は、該摺動面に接する摺動面を具えた本体及びハンドルを具え、ハンドルを操作して本体を摺動面に相対して動かす。掛合部材は連動体を具え、上記突出部のスリットに挿通して本体に対して枢設し、ハンドル操作により上下移動可能とする。
この連動体は連動体下方に相対する左右対称の第弾性体、第二弾性体が縦方向に延長されて設けられ、第一、第二弾性体その先端部に牽引体を連結し、第一、第二弾性体を左右に延長して彎曲部で折り返した板バネ構造とすることにより、彎曲部のバネ特性を緩やかな曲率の曲面で発揮させ、変形のすることのない構造とした。
【考案の効果】
【０００５】
本考案のヒートシンクの掛合具は、弾発力を備えた部材によってヒートシンクを締結する構造として、コンパクトで且つ変形することなく、確実に締結力を発揮する。
【考案を実施するための最良の形態】
【０００６】
本考案は、上述の公知の係合具の欠点を改善するため、狭い空間に収容可能なように寸法を小型化すると共に、掛合具のフレーム自体の弾発力に頼らずに、ヒートシンクに対する充分な締結力を発揮し、変形を来たすことがない構成を採用する。
【０００７】
このため、本考案のヒートシンクの掛合具は、フレーム、操作部材、掛合部材から構成する。そのうち、フレームはヒートシンクの上面に設置し、両辺に操作部材の円弧状側面と接して回動させる摺動面を具える突出部を設ける。操作部材は、本体及び本体に連結するハンドルを具え、本体は上述の摺動面に置き、ハンドルを操作して本体を摺動面上で回動させる。掛合部材は、連動体を具え、該連動体を上述の突出部に形成されたスリットに挿通して上方に突出させ、操作部材本体を貫通する枢軸により枢設し、さらに連動体は下方で左右対称に第一弾性体、第二弾性体が水平方向に延長されて形成され、第一、第二弾性体はその先端に掛合牽引体を連結し、該係合牽引体とヒートシンクを搭載する基板上の係合フックと係合してヒートシンクを締結・固定する。
第一、第二弾性体を、左右に延長されて湾曲した弾性構造とし、その弾発力によりヒートシンクに対する締結力を作用することにより、弾性構造の湾曲度合いを緩やかにし、バネ部材としての損傷を低減し、ヒートシンク側面に沿った形態として占有容積を低減した。
上述の目的及びその構造と機能上の特性は、図に示す実施例で以下に説明する。
【実施例１】
【０００８】
本考案の提供するヒートシンクの掛合具は、図１、図２に示すとおり、フレーム１０、操作部材２０及び掛合部材３０から構成される。そのうち、このフレーム１０は、空間を囲むフレーム枠体の形態で、フレームの相対する２辺の対応する箇所にはそれぞれフック１１が設けられ、送風ファン（図未提示）を掛合して設置する。また、このフレーム１０の相対する２辺の外側には突出部１２をそれぞれ設け、その突出部は上面を操作部材との摺動面１２１とし、その摺動面１２１の両側には突出部１２を上下に貫く挿通スリット１２２、１２３をそれぞれ設ける。
【０００９】
操作部材２０は、本実施例では二組とし、本体２１及び本体２１に連結するハンドル２２を具え、本体２１を上述の摺動面１２１上に設置し、ハンドル２２を操作して本体を回転させ、摺動面１２１上を摺動、回転させる。
【００１０】
本体２１は、図に示すとおり、円形輪状体とし、本体２１を貫く案内溝２１１を設けて、その案内溝２１１の両端の第一端２１２及び第二端２１３の間を、第一端２１２から本体２１の半径方向に偏心させて湾曲部２１４を経て延長して第二端２１３へ連通させる。
【００１１】
上記の構成は本考案を制限するものではなく、本体２１は偏心輪状体でもよい。また、上記摺動面１２１は内に凹んだ円弧面とし、前述本体２１と面接触して本体２１が摺動面１２１上で安定して回転する。
【００１２】
前述の掛合部材３０は、本実施例では二組で構成し、連動体３１を縦方向に延長して連動体３１下方の相対する位置に左右対称に第一弾性体３２ａ、第二弾性体３２ｂを設ける。この第一、第二弾性体３２ａ、３２ｂ先端には掛合牽引部３３を連結する。前述の連動体３１は、本図では二本の相対する平行板で構成し、その枢設孔３１１を設置した端を上記フレームの突出部１２の挿通スリット１２２、１２３に差し込んで、本体２１の両側に相対して設置し、枢軸７０を枢設孔３１１及び案内溝２１１に差し込むことにより、操作部材２０が連動体３１を上下に移動させる。或いは、例えば、本体２１を偏心輪若しくは円形輪として、連動体３１を本体２１の偏心位置に枢設して（図未提示）、連動体３１を上下に動かすようにしても良い。
【００１３】
前述の第一、第二弾性体３２ａ、３２ｂは、本図に示すとおり、それぞれ連動体３１に結合する第一弾性桿３２１ａ、３２１ｂ、湾曲部３２２ａ、３２２ｂ、及び該湾曲部で折り返して第二弾性桿３２３ａ、３２３ｂを形成し、該湾曲部を介して開いたり、窄まって弾発力を有する。
第二弾性桿３２３ａ、３２３ｂ先端部は下方に延長してフック孔３２４１ａ、３２４１ｂを具える鈎接続脚３２４ａ、３２４ｂとする。
【００１４】
掛合牽引体３３の上端左右両端の前述のフック孔３２４１ａ、３２４１ｂと対応する箇所に凸部３３１、３３２をそれぞれ設けると共に、掛合牽引体３３の下段には掛合孔３３３を設けて、凸部３３１、３３２を掛合部材下部の第一、第二弾性体３２ａ、３２ｂのフック孔３２４１ａ、３２４１ｂに差し込むことによって、第一、第二弾性体３２ａ、３２ｂが掛合牽引部３３の左右両側に連結される。本考案は以上の例示に制限されるものではなく、第一、第二弾性体３２ａ、３２ｂは開口で相対して湾曲する形状、例として両相対するＵ字型もしくはＣ字型でもよい。更に第、第二弾性体３２ａ、３２ｂも掛合牽引体３３と一体成型でもよい。
【００１５】
図３、４に示すとおり、本考案はヒートシンク４０を発熱ユニット５０の表面上にしっかりと合わせて設置し、ヒートシンク４０はアルミニウム、もしくは銅など熱伝導性の良好な金属材で製造し、複数のフィンを具えて放熱面積を増やす。このヒートシンク４０の種類及び形状は本図に示すものに制限されず、アルミニウム押出し加工、プレス成形及び型鍛造等各種形式でもよく、更に、熱伝導用チューブを設けてもよい。このヒートシンク４０の相対する両側には突出部４１を具え、発熱ユニット５０上に設置し、その底面と発熱ユニット５０の最上面は密着して、発熱ユニット５０の発熱がヒートシンク４０に伝わり、ヒートシンク４０によって発熱ユニット５０の放熱を助ける。
【００１６】
前述の発熱ユニットは、例えばＣＰＵであって、回路板６０上に設置する。この回路板６０上に嵌合台６１を設け、この嵌合台６１は発熱ユニット５０を囲んで形成され、且つ嵌合台６１の相対する２辺にはそれぞれ係合フック６２、６３を設けて、これら係合フック６２、６３を掛合部材３０の掛合牽引体３３の掛合孔３３３に係合する。
【００１７】
嵌合台上に設置した発熱ユニット５０上にヒートシンク４０を設置し、フレーム１０をヒートシンク４０の上側に被せ、両掛合部材３０をヒートシンク４０の両側の突出部４１間の凹槽４１１に配置する。
続いて、フレーム１０の下縁側を突出部４１上にあてがって、掛合部材３０を引き下げてヒートシンク４０を押圧し、掛合牽引体３３の掛合孔３３３を相対する係合フック６２，６３にそれぞれ掛合してヒートシンク４０を発熱ユニット５０上にしっかりと締結する。
【００１８】
図５に示すのは、掛合部材３０が締結された状態の指示図で、この状態において、連動体３１が上向きに引っ張られるのを受けて、掛合部材３０の第一、第二弾性体３２ａ、３２ｂは、第一弾性桿３２１ａ、３２１ｂ及び第二弾性桿３２３ａ、３２３ｂは湾曲部３２２ａ、３２２ｂを介してそれぞれ上下に延びて開く（図７の点線に示す）。また、図６に示すとおり、掛合部材３０が上向きに引かれる力が緩むと、この第弾性桿３２１ａ、３２１ｂ及び第二弾性桿３２３ａ、３２３ｂは湾曲部３２２ａ、３２２ｂを介してそれぞれ弾性回復し（図７実線に示す）て、弾性体３２ａ、３２ｂが元の状態に回復する。
このように、第一、第二弾性体３２ａ、３２ｂによる弾発力の作用の下で、操作部材２０のハンドル２２を操作して係合部材を上下させることにより、掛合部材３０の締結力はヒートシンクを締結、或いは緩められて取外し可能となる。
これらの弾発力の作用は、係合部材の第一、第二弾性体３２ａ、３２ｂの湾曲部の湾曲度合いＲ角の大小によって調整され、更に第一、第二弾性体３２ａ、３２ｂは左右対称で相互に平衡して牽引力を作用する。このため、Ｒはより大きく採って弾性係数を小さくすることができ、また、ヒートシンク側面に沿って配置されるためその占有面積（スペース）はより小さくすることができる。
【００１９】
本考案のヒートシンクの掛合具は、以上のとおり新規性ある構成により、優れた作用効果を発揮する。
以上の説明に引用した例は、本考案の良好な実施例に過ぎず、本考案の方法、形状、構造、装置の変化はすべて、本考案の範囲内とする。
【図面の簡単な説明】
【００２０】
【図１】本考案の掛合具の立体分解指示図である。
【図２】本考案の掛合具の立体組立指示図である。
【図３】本考案の掛合具とヒートシンク及び発熱ユニット組立の立体分解指示図である。
【図４】本考案の掛合具とヒートシンク及び発熱ユニット組立の立体組立指示図である。
【図５】本考案の掛合具に係合フックを掛合した正面指示図である。
【図６】本考案の掛合具から係合フックを緩めた正面指示図である。
【図７】本考案の掛合具の第一、第二弾性体を締めたり、緩めたりする動作指示図である。
【符号の説明】
【００２１】
１０        フレーム
１１        フック
１２        突出部
１２１        摺動面
１２２        挿通スリット
１２３        挿通スリット
２０        操作部材
２１        本体
２１１        案内溝
２１２        第一端
２１３        第二端
２１４        湾曲部
２２        ハンドル
３０        掛合部材
３１        連動体
３１１        枢設孔
３２ａ      第一弾性体
３２ｂ      第二弾性体
３２１ａ      第一弾性桿
３２１ｂ      第一弾性桿
３２２ａ      湾曲部
３２２ｂ      湾曲部
３２３ａ      第二弾性桿
３２３ｂ      第二弾性桿
３２４ａ      鈎接続脚
３２４ｂ      鈎接続脚
３２４１ａ      フック孔
３２４１ｂ      フック孔
３３        掛合牽引体
３３１        凸部
３３２        凸部
３３３        掛合孔
４０        ヒートシンク
４１        突出部
５０        発熱ユニット
６０        回路板
６１        嵌合台
６２        係合フック
７０        枢軸
【図１】
0003133001.tif 000003
【図２】
0003133001.tif 000004
【図３】
0003133001.tif 000005
【図４】
0003133001.tif 000006
【図５】
0003133001.tif 000007
【図６】
0003133001.tif 000008
【図７】
0003133001.tif 000009